(57)【要約】      （修正有）【課題】頭髪をきれいにするための髪梳きよりも、頭皮をマッサージすることに重点を置いた、マッサージャーを提供する。【解決手段】ヘアブラシのブラシピン部３の基部に複数のモーターをとりつけ、個別に駆動させることができるようにする。二つ以上のブラシピンの基部が振動することで、振動の帯を作り出し、この帯が縦横にうごく、あるいは拡散、収縮を繰り返すようにコントロールすることで、頭皮の血行を改善でき、頭部のマッサージをできるようにする。ヘアブラシを、頭部がかぶることのできるヘルメット状のサイズまで拡張し、このヘルメット状の形状の内部に内側向けのブラシピンを複数個並べ、それらのうち複数もしくは単数を組織的に連動させることによって、皮膚の振動前線を作り出し、頭皮全体の血行を促進する。【選択図】図６
2019063140.tif 000002
【特許請求の範囲】
【請求項１】
ブラシヘッド部に、複数の可動式ブラシ束もしくは可動式ブラシピンを備えた電動ヘアブラシにおいて、
（１Ａ）可動式ブラシ束もしくは可動式ブラシピンは、それぞれを個別に振動、超音波振動、回転、往復回転、味噌擂り運動などの振動・駆動運動をさせることができる駆動部を備えており、
（１Ｂ）複数のブラシ束、ブラシピンが組織的に連動することで、振動の帯、あるいはブラッシング前線とも呼べる振動帯を作り出すことができる、
以上の特徴を備えた、複数の可動式ブラシ束、もしくは可動式ブラシピンを個別運動させることを特徴とする電動ヘアブラシ、電動マッサージャー。
【請求項２】
（２Ａ）ブラシ束もしくはブラシピンを支えるブラシヘッド部が、頭部の曲線に沿うことができる形状であり、ブラシピンが内側に向けて設置されている、
（２Ｂ）ブラシヘッドがラケット状の枠の内側に伸縮する材質の生地を貼り、その上にブラシピンが設置されているものである、
（２Ｃ）もしくはブラシヘッド部がヘルメットのように、頭部にかぶることができ、内部にブラシピンが、内側に向けて設置されている、
以上（２Ａ）、（２Ｂ）、（２Ｃ）のいずれかを特徴とする、
請求項１に記載された、複数の可動式ブラシ束、もしくは可動式ブラシピンを個別運動させることを特徴とする電動ヘアブラシ、電動マッサージャー。
【請求項３】
ブラシヘッド部と空気加圧部からなり、ブラシヘッド部には複数のブラシピンを備えており、ブラシピンは、その頭部もしくは頭部周辺には噴出し口を備えた管状になっており
（３Ａ）電源を入れると空気加圧部から、加圧された空気、熱気がブラシヘッドの噴出し口より噴出するようになっている。
（３Ｂ）ブラシピンにバルブがあり、管状のブラシピンが肌に接触し、圧縮されたときに、空気が噴出するようになっている。
（３Ｃ）ブラシヘッドは、頭部の曲線に沿うことができる形状であり、管状のブラシピンはコントロールされるバルブを備え、複数のブラシピンがコントロールされ、空気の加圧前線を作り出すことができる仕組みになっている。
（３Ａ）、（３Ｂ）、（３Ｃ）のいずれかを特徴とする、電動ヘアドライヤー、電動エアマッサージャー。
【請求項４】
ブラシヘッド部に、複数の空気噴出し口を備えた電動ヘアドライヤー、電動エアマッサージャーであり、
（４Ａ）前記、複数の空気噴出し口は、それぞれを個別に噴出しのオンオフ、噴出し方向などを制御させる駆動部を備えており、
（４Ｂ）複数の空気噴出口が組織的に連動することで、噴出しの帯、あるいは噴出し前線とも呼べる噴出し加圧帯を作り出すことができる、
以上の特徴を備えた、複数の空気噴出し口を備えた電動ヘアドライヤー、電動エアマッサージャー。
【発明の詳細な説明】
【技術分野】
【０００１】
この発明は、おもにヘアブラシ、頭皮マッサージャー、もしくは身体各部のマッサージ器具、さらにヘアドライヤー、空気圧マッサージャーならびにシュミュレーション器具に関するものである。
【背景技術】
【０００２】
ヘアブラシに電動モーターをつけたものは、特許文献にもいくつか存在するが、おおむねブラシ一つに一つのモーターもしくは駆動部を備えたものである。
モーターをつけているのは、髪を梳く行為のためより、ブラッシングによるマッサージ効果を期待してのことと考えられる。しかしながら、一つのモーターによる振動では、十分なマッサージ効果、あるいは自由なマッサージ運動が行えるとは考えにくい。
また、ヘアドライヤーの中には吹き出し口が複数あるものもあるが、主に髪の乾燥のためのものであり、空気圧によるマッサージ効果を狙ったものはない。
【先行技術文献】
【特許文献】
【０００３】
本発明に関する公知技術として次の特許文献をあげることができる。
【特許文献１】特願２０１７−００８３１９
【特許文献２】実登 第３０３７９００
【特許文献２】特開２００８−１１９０１６
【発明の概要】
【発明が解決しようとする課題】
【０００４】
通常、ヘアブラシは、取手つきのブラシベースに対してブラシ束あるいはピンが複数個、植えられているものである。
これらヘアブラシの形状には、複数の繊維を束ねたブラシ束が並んで植えられているもの、あるいは一本のピンが並んで植えられているものがあるが、ここではブラシ束もブラシピンもまとめてブラシピンと呼ぶことにする。
なお、ブラシピンで、中を空気が通り、先端部、あるいは先端部周辺に噴出し口を備えた管状のものも、ブラシピンと呼ぶことにする。
【０００５】
さて、一般にブラッシングとは毛根から毛先にかけて、ブラシベースに生えたブラシピンを移動させることであり、この動きを、髪を梳くと呼ぶ。その効果は、頭髪と頭髪の間をブラシピンが通過することによって、複数の頭髪をきれいに並べ、整え、頭髪についた汚れやごみを取り除き、同時に頭皮へのマッサージを行うことである。
【０００６】
ブラッシングするときは、毛根から毛先にかけてブラシ全体を動かす必要があるが、カーリーヘアーや編んだ髪形など、密度の濃いヘアスタイルでは、ブラシを動かして梳くことは困難であるという欠点があった。
なお、これは、ヘアドライヤーで毛髪を乾燥させる時も同様に困難であった。
【０００７】
また、頭髪をきれいにするための髪梳きよりも、頭皮をマッサージすることに重点を置く使用者も一部には存在している。
【０００８】
本発明は、頭皮マッサージを重点的に考え、そのためにブラシピン一本一本の根元に駆動部を配置することを提案するものである。
【課題を解決するための手段】
【０００９】
本発明では、ヘアブラシのブラシヘッドに複数個のブラシピンを設置し、その根元にそれぞれ個別に駆動できる駆動部、モーター、振動モーター等を設置し、それらのモーターが組織的に連動することによって、皮膚に振動部分の集合する、一種の皮膚表面に振動帯、振動前線のようなものを作り出し、皮下にある血管の血行を促進しようとするものである。
【００１０】
ヘアブラシを、頭部がかぶることのできるヘルメット状のサイズまで拡張し、このヘルメット状の形状の内部に内側向けのブラシピンを複数個並べ、それらのうち複数もしくは単数を組織的に連動させることによって、皮膚の振動前線を作り出すことで、頭皮全体の血行を促進することができる。
さらに、エアコンプレッサー、あるいはエアファン、電熱器、冷却機と連動し、そのエアーの噴出し口を個別に制御することでも、マッサージ効果を得ることができ、さらにマッサージの周辺効果として、冷風、温風などによる清涼感を付与することもできる。
【発明の効果】
【００１１】
このブラシを使用することで、通常のブラッシングでは、梳くことの出来ない髪型でも、頭皮のマッサージが可能となる。
【００１２】
複数個あるブラシピンを組織的に振動、駆動させることで、頭皮の血行における一種のブラッシング前線を作りだし、血行を活発にすること、血行をコントロールすることができる。特に、ヘルメット状の内部にブラシピンがある場合は、頭皮の一括マッサージが可能である。
【００１３】
なお、先に延べたブラッシング前線、皮膚の振動前線とは、いくつかのブラシピンが連動して振動・駆動し、一定時間経過後、近くにある異なるグループのブラシピンが連動して振動・駆動することによって、ブラッシングポイント、つまり振動帯・あるいは駆動帯が、天気図における前線のように動くことをイメージして呼んでいるものである。
【００１４】
頭皮の接触圧、脳波の発生状況などをセンサーで感知し、振動前線を動かすこともできる。また、特別なセンサーなどを持たなくても、単純に図形的に振動前線を動かして、血行をコントロールすることもできる。
また、シュミュレーションやゲームなどで、各種の刺激をターゲットとなるブラシピンの駆動によって頭皮に伝えることで臨場感などを与えることもできる。
【００１５】
さらに、ブラシピンの内部、あるいはその近くに空気の通路を用意し、ファン、またはコンプレッサーによって作り出した空気、あるいは熱風の噴出し口とし、噴出しの場所と噴出し量をコントロールすることによって、風圧前線をつくりだして、髪に付着した水分を飛ばしたり、風圧によって血行をコントロールする頭皮のマッサージャーとすることができる。
【図面の簡単な説明】
【００１６】
【図１】ブラシと頭皮部の断面図          左（Ａ）ブラシピン先端は放射方向にある（一般のもの）          右（Ｂ）ブラシピン先端は収束方向にある
【図２】ブラシヘッドとハンドルの平面図
【図３】ブラシヘッドとハンドルのＬＭ断面図
【図４】ブラシヘッドに設置されたブラシピンの連動  １平行移動
【図５】ブラシヘッドに設置されたブラシピンの連動  ２矢印型平行移動
【図６】ブラシヘッドに設置されたブラシピンの連動  ３同心円型移動
【図７】ヘルメット状ブラシヘッドに設置されたブラシピンの断面図
【図８】ヘルメット状ブラシヘッドに設置された吹き出し口つきブラシピンの断面図
【発明を実施するための形態】
【００１７】
まずブラシヘッドの形状について述べる。
【００１８】
通常のブラシは、ブラシ自体が移動することで髪を梳くものである。
つまり頭皮とブラシのピン先の接点、ブラッシングポイントが頭皮の上を移動していくこと、それによって髪の脇をブラシピンが通過することが、一般的に言う髪梳きであると解釈される。
【００１９】
そのためブラシヘッドの形は、平板形、しゃもじ形、円筒の一部の形状など、さまざまな形状があったが、一般にはブラシヘッドの中央部等がある程度盛り上がっているように作られている場合が極めて多い。図１Ａ参照。それは、多くの場合、ブラッシングポイントを明確化するためであろうと推察される。
また、ブラッシングポイント、図１、Ａの６、の面積を減らすことで、頭髪、頭皮との接触面積を減らし、ブラシを動かしやすくすることも目的と考えられる。
【００２０】
たとえば、図１において、Ａが従来のブラシヘッドの断面図であり、ブラシピンの根元は、ブラシヘッドに側に収束し、ピン先は、ブラシ対象に向かって拡散している。
こうしてブラッシングポイント６、頭皮との接触部分は小さくなっている。
【００２１】
しかし、本発明では、参考図１のＢに見るように、ブラシピン先端が複数個、同時に頭皮に接触している。ときにはすべて、もしくはほとんどのブラシピンが頭皮に接触していることを想定している。当然、Ａと同等の比較をするとブラッシングポイントは広くなってしまっていることになる。
【００２２】
しかし、このとき、ブラシそれ自体は大きく移動することはなくても、ブラシピンのうちのいくつかが個別に振動して、別の意味でのブラッシングポイントを作り出すことができる。
【００２３】
ピンの位置は移動しなくても、異なる位置のピンが順々かつ組織的に振動して、振動ポイントを作り出し、それが複数個あわさることで、一種の振動のパターンを作り出し、さらにそれが変化することで、頭皮マッサージが行われ、頭皮の血行をコントロールすることができる。
【００２４】
そのため、ブラシヘッドは平板形などのような伝統的ブラシ形状であっても何の問題もないが、むしろ逆にテニスラケット状の枠のように、円形、楕円形の枠の内側に柔軟な生地が張られており、押せば窪むようなしくみになっており、そこにブラシ束、ブラシピン等が取り付けられている形態であっても構わない。
【００２５】
断面図３がそれを示している。
この形状は今までのブラッシングの概念から大きくはずれ、ブラシで髪を梳くというより、頭皮にブラシをあてがうというイメージになる。動かす必要があまりないのでハンドルも小さくてよい。
【００２６】
図３は、ブラシピンを支えるブラシヘッド部１が、たわむことで、頭皮にブラシピンを密着させている状況を示している。
図１のＢが、ここに示したブラシヘッドの断面図でありブラシピン先端部は収束方向にあることがわかる。なお、7には空気室があり、ここに空気その他を入れると通常のように盛り上がったブラシヘッドにもなる。あるいはここに凸部を備えた板状の物をあてがえば、一般の、中央が盛り上がったブラシヘッドになる。
【００２７】
図４から図６までが、ラケット状の円形、楕円形の枠に若干伸縮する布が張られ、そこに駆動するブラシピンが取り付けられている状態を示している。
ここで、駆動しているブラシピンは斜線で示され、駆動する部分が時間経過とともに動いていくようすを示している。
【００２８】
図４では、駆動しているブラシピン３Ａのグループが上方向に移動していく。
図５では、矢印のようなパターンが左に移動していく。
図６では、駆動部が円形でだんだん小さくなる動きをしている。振動帯が収縮したり拡張したりすることで、血行管理を含めたマッサージとなる。
【００２９】
これがさらにすすむと、頭部をヘルメット状に包みこみ、内部にブラシヘッドが内側向けに並ぶような形態もとることができる。図７。
【００３０】
ブラシピンの先は、頭部中心部、もしくは頭皮に向かっており、頭部中央部に向かって収束するように傾いているのがわかる。
【００３１】
なお、このブラシピンの個々の根元には、駆動部が置かれ、振動モーター、モーター、プランジャなどが配置され、コントローラーによって駆動がコントロールされる。
【００３２】
ブラシピンの動きは、図６では、駆動するブラシピンを繋いだときに現れるブラッシング前線が同心円を描いており、この同心円は時間経過とともに小さくなる、あるいは大きくなるなどの動きを作り出す。また、これをランダムに分布、さらにランダムに移動することもできる。
【００３３】
別に用意したタッチパネルその他のコントローラー、スマホなどと連動して、タッチパネルに指先で触ったとき、その部分に向かって振動・駆動するようにしたり、さまざまな動きを登録して動かすこともできる。
あるいはなんらかのシュミュレーターとの連動させることも可能である。  
【００３４】
なお、単純にブラシピンの先端部から空気を噴出するだけでも、ヘアドライヤーの効果はある。この場合は、図３のようにブラシヘッドは頭皮に密着するように、伸縮性がある生地に穴付ブラシピンがあればよい。
空気圧に余裕があれば、中央部も盛り上がった普通のブラシヘッド形状であっても可能である。
【００３５】
図８に示したのは、ヘルメット状のブラシヘッドに、ブラシピンの中央部に空気通路を設け、ここでは別添えのコンプレッサーから空気を送り出し、ブラシピンから空気を送り出すことで、ヘアドライヤー、あるいは空気圧マッサージャーとした図である。
ここで、空気を送り出すブラシピンは管状であれば問題ないが、少なくとも先端部、あるいは先端部周辺、必要に応じて、中間部にも空気噴出し口があるべきである。
【００３６】
空気を加圧するのはファン、コンプレッサーなどの空気加圧機であり、ブラシヘットに付着していてもよいし、あるいはホースなどでつながっていてもよい。
【００３７】
さらに、制御するときは、根元にバルブ機構を備えてあって、加圧した場合開くようにしてある、あるいは別のコントローラーによって動くようにしてあればさらに微妙なコントロールが可能である。
【００３８】
ラケット型の手持ち型ブラシヘッドにおいて、その形状が平面的であったり、中央部が盛り上がっていたりして、ブラシピンが皮膚に触れたときにだけ、皮膚に押されてバルブが開き空気が噴出する機構であれば、ヘアドライヤーとしては有効である。
【００３９】
さらに、多くの吹き出し口が皮膚に触れる形の場合、個々の噴出し口を制御することによって、頭皮マッサージャーとして、頭皮の血行管理を行うことができる。
なお、このとき、ブラシの振動と空気圧を併用することもできる。
【産業上の利用可能性】
【００４０】
今までのブラシでは、髪の毛を梳くことと、頭皮のマッサージは同時に行われるのが通常であり、どちらか一方のみということはなかった。
ここに示した個々のブラシピンに駆動部を備えたブラシでは、駆動部の振動による頭皮マッサージが中心とはなるが、反面、どんなヘアスタイルであってもマッサージが可能である。
【００４１】
また、マッサージの際に複数の駆動部が連動することで頭皮におけるブラッシング前線を形成し、これを移動させることで、頭皮の血行を意図的にコントロールできるマッサージャーとなることができるメリットがある。
【符号の説明】
【００４２】
１  ブラシヘッド
２  ブラシのハンドル
３  ブラシピン部
３Ａ  駆動しているブラシピン部
４  ブラシピン駆動部
５  人の頭部、頭皮部
６  ブラシピン接触部、ブラッシングポイント
７  ブラシヘッドに設けた拡張部もしくは空気室
８  空気配管を備えたヘルメット形状のブラシヘッド
９  空気吹き出し口を備えたブラシピン
１０  配管部
１１  ファン、あるいはコンプレッサー部
【図１】
2019063140.tif 000003
【図２】
2019063140.tif 000004
【図３】
2019063140.tif 000005
【図４】
2019063140.tif 000006
【図５】
2019063140.tif 000007
【図６】
2019063140.tif 000008
【図７】
2019063140.tif 000009
【図８】
2019063140.tif 000010